(57)【要約】【課題】排版装置において、収容部における孔版原紙の収容スペースを確保する。【解決手段】排版装置１は、孔版印刷装置の使用済みの孔版原紙Ｍ１を回収するための排版装置であって、孔版原紙Ｍ１を収容する収容部１０と、この収容部１０に収容された孔版原紙Ｍ１を圧縮する圧縮位置と当該圧縮位置から退避した退避位置Ｐ１２とに移動する圧縮部（第１の圧縮部）２０と、この圧縮部２０が退避位置Ｐ１２にあるときに収容部１０に収容された孔版原紙Ｍ１を圧縮する補助圧縮部（第２の圧縮部）３０と、を備える。【選択図】図５Ａ
2018118494.tif 000002
【特許請求の範囲】
【請求項１】
孔版印刷装置の使用済みの孔版原紙を回収するための排版装置であって、
前記孔版原紙を収容する収容部と、
前記収容部に収容された前記孔版原紙を圧縮する圧縮位置と当該圧縮位置から退避した退避位置とに移動する第１の圧縮部と、
前記第１の圧縮部が前記退避位置にあるときに前記収容部に収容された前記孔版原紙を圧縮する第２の圧縮部と、
を備えることを特徴とする排版装置。
【請求項２】
前記第１の圧縮部は、前記第２の圧縮部を押圧する押圧部を有し、
前記第２の圧縮部は、前記孔版原紙に接触する接触部と、当該接触部を、前記孔版原紙を圧縮する方向に付勢する付勢機構とを有し、
前記接触部は、前記第１の圧縮部が前記退避位置から前記圧縮位置へ移動する際に前記押圧部により押圧されることによって前記孔版原紙を圧縮する方向とは反対方向へ移動する、
ことを特徴とする請求項１に記載の排版装置。
【発明の詳細な説明】
【技術分野】
【０００１】
本発明は、孔版印刷装置の使用済みの孔版原紙を回収するための排版装置に関する。
【背景技術】
【０００２】
従来、使用済みの孔版原紙を収容する収容部における孔版原紙の収容量を確保するために、収容された孔版原紙を圧縮する排版装置が提案されている（例えば、特許文献１〜３参照）。
【先行技術文献】
【特許文献】
【０００３】
【特許文献１】特開平７−１３２６７４号公報
【特許文献２】特開２００４−３５１７２３号公報
【特許文献３】特開２００２−３４７３２２号公報
【発明の概要】
【発明が解決しようとする課題】
【０００４】
以下、上記のように孔版原紙を圧縮する参考技術に係る排版装置について説明する。
図７Ａ〜図７Ｃは、参考技術に係る排版装置２００を示す断面図である。
図７Ａに示すように、排版装置２００は、収容部２１０と、圧縮部２２０と、排版ローラ対２４０，２５０と、を備える。
【０００５】
収容部２１０は、印刷に用いられた使用済みの孔版原紙Ｍ１１を収容する。
圧縮部２２０は、収容部２１０に収容された孔版原紙Ｍ１１を圧縮する図７Ｂに示す圧縮位置と、この圧縮位置から退避した図７Ｃに示す退避位置とに移動する。
【０００６】
排版ローラ対２４０，２５０は、孔版印刷装置の印刷部の版胴から取り出された使用済みの孔版原紙Ｍ１１を収容部２１０内に搬送する。
図７Ｂに示すように圧縮部２２０が孔版原紙Ｍ１１を圧縮することで、孔版原紙Ｍ１１は、収容部２１０における奥（図における左方）に押し込まれる。そのため、孔版原紙Ｍ１１は、図７Ｃに示すように圧縮部２２０が退避した後に圧縮前の状態に近づくように復元しても、図７Ａに示す状態よりも排版ローラ対２４０，２５０から遠ざかることになる。
【０００７】
図８Ａ及び図８Ｂは、孔版原紙の収容量が多くなった状態の、参考技術に係る排版装置を示す断面図である。
図９Ａ及び図９Ｂは、図８ＢのＡ部拡大図である。
【０００８】
図８Ａに示すように、収容部２１０に収容された複数の孔版原紙Ｍ１１，Ｍ１２，Ｍ１３，Ｍ１４は、圧縮部２２０によって圧縮された後に広がり、圧縮前の状態に近づくように復元する。
【０００９】
そのため、図８Ｂに示すように、収容部２１０にさらに孔版原紙Ｍ１５等が収容されていくと、収容部２１０における収容スペースが不足することになる。なお、図８Ｂでは便宜上、孔版原紙にＭ１１〜Ｍ１５の５つの符号を付して説明するが、収容部２１０には、例えば１００版程度の孔版原紙が収容されるため、この場合には４，５版の孔版原紙では収容部２１０は満杯にならない。
【００１０】
収容部２１０における収容スペースが不足すると、図９Ａに示すように、新たに搬送される孔版原紙Ｍ１６（矢印で図示）が例えば上側の排版ローラ２４０に巻き付くおそれがある。また、図９Ｂに示すように、収容部２１０内の孔版原紙Ｍ１５（矢印で図示）が逆流して例えば下側の排版ローラ２５０に巻き付くおそれもある。
【００１１】
本発明の目的は、収容部における孔版原紙の収容スペースを確保することができる排版装置を提供することである。
【課題を解決するための手段】
【００１２】
第１の態様では、排版装置は、孔版印刷装置の使用済みの孔版原紙を回収するための排版装置であって、前記孔版原紙を収容する収容部と、前記収容部に収容された前記孔版原紙を圧縮する圧縮位置と当該圧縮位置から退避した退避位置とに移動する第１の圧縮部と、前記第１の圧縮部が前記退避位置にあるときに前記収容部に収容された前記孔版原紙を圧縮する第２の圧縮部と、を備える。
【００１３】
第２の態様では、排版装置は、第１〜第３のいずれかの態様の排版装置であって、前記第１の圧縮部は、前記第２の圧縮部を押圧する押圧部を有し、前記第２の圧縮部は、前記孔版原紙に接触する接触部と、当該接触部を、前記孔版原紙を圧縮する方向に付勢する付勢機構とを有し、前記接触部は、前記第１の圧縮部が前記退避位置から前記圧縮位置へ移動する際に前記押圧部により押圧されることによって前記孔版原紙を圧縮する方向とは反対方向へ移動する。
【発明の効果】
【００１４】
第１の態様によれば、第１の圧縮部が孔版原紙を圧縮しない退避位置にあるときに、圧縮されずに広がる孔版原紙を第２の圧縮部によって圧縮することができるため、収容部における孔版原紙の収容スペースを確保することができる。
【００１５】
第２の態様によれば、第２の圧縮部を第１の圧縮部の移動に連動させて移動させることができるため、第２の圧縮部を駆動する駆動部を省略し構造を簡略化することができる。
【図面の簡単な説明】
【００１６】
【図１】一実施の形態に係る排版装置を備える孔版印刷装置を示す構成図である。
【図２Ａ】一実施の形態に係る排版装置を示す断面図（その１）である。
【図２Ｂ】一実施の形態に係る排版装置を示す断面図（その２）である。
【図３】一実施の形態に係る排版装置を示す斜視図である。
【図４】一実施の形態における補助圧縮部を示す斜視図である。
【図５Ａ】一実施の形態に係る排版装置の動作を説明するための断面図（その１）である。
【図５Ｂ】一実施の形態に係る排版装置の動作を説明するための断面図（その２）である。
【図５Ｃ】一実施の形態に係る排版装置の動作を説明するための断面図（その３）である。
【図５Ｄ】一実施の形態に係る排版装置の動作を説明するための断面図（その４）である。
【図５Ｅ】一実施の形態に係る排版装置の動作を説明するための断面図（その５）である。
【図５Ｆ】一実施の形態に係る排版装置の動作を説明するための断面図（その６）である。
【図６Ａ】他の実施の形態に係る排版装置の動作を説明するための断面図（その１）である。
【図６Ｂ】他の実施の形態に係る排版装置の動作を説明するための断面図（その２）である。
【図６Ｃ】他の実施の形態に係る排版装置の動作を説明するための断面図（その３）である。
【図７Ａ】参考技術に係る排版装置を示す断面図（その１）である。
【図７Ｂ】参考技術に係る排版装置を示す断面図（その２）である。
【図７Ｃ】参考技術に係る排版装置を示す断面図（その３）である。
【図８Ａ】孔版原紙の収容量が多くなった状態の、参考技術に係る排版装置を示す断面図（その１）である。
【図８Ｂ】孔版原紙の収容量が多くなった状態の、参考技術に係る排版装置を示す断面図（その２）である。
【図９Ａ】図８ＢのＡ部拡大図（その１）である。
【図９Ｂ】図８ＢのＡ部拡大図（その２）である。
【発明を実施するための形態】
【００１７】
以下、本発明の実施の形態に係る排版装置について、図面を参照しながら説明する。
図１は、一実施の形態に係る排版装置１を備える孔版印刷装置１００を示す構成図である。
【００１８】
図１に示すように、孔版印刷装置１００は、排版装置１と、装置筐体１０１と、操作パネル部１０２と、原稿読取部１０３と、製版部１０４と、給紙部１０５と、カム駆動部１０６と、排紙部１０７と、制御部１０８と、印刷部１１０と、を備える。
【００１９】
装置筐体１０１の天面１０１ａには、操作パネル部１０２及び原稿読取部１０３が配置されている。また、装置筐体１０１の左側面１０１ｂには給紙部１０５が配置され、装置筐体１０１の右側面１０１ｃには排紙部１０７が配置されている。
【００２０】
操作パネル部１０２は、孔版印刷装置１００の各種操作を行うための操作キーなどを有し、孔版印刷装置１００の入力部として機能する。
原稿読取部１０３は、原稿から画像情報を読み取るスキャナを有する。
【００２１】
製版部１０４は、ロール状の孔版原紙（マスタ）Ｍに対して原稿読取部１０３から得られる画像情報に基づき感熱穿孔を行うサーマルヘッドと、感熱穿孔が行われた孔版原紙Ｍを切断するカッタと、を有する。
【００２２】
給紙部１０５は、用紙Ｓが積層される給紙台と、用紙Ｓを印刷部１１０に搬送する搬送部と、を有する。
印刷部１１０は、版胴１１１と、中心軸１１２と、エンコーダ１１３と、版胴モータ１１４と、クランプ板１１５と、跳ね上げ板１１６と、プレスローラ１１７と、剥離爪１１８と、を有する。
【００２３】
版胴１１１は、孔版原紙Ｍ及び用紙Ｓの幅方向に平行な中心軸１２を中心とした直径φＤの円筒状を呈する。版胴１１１の円筒状外周面１１１ａには、多数の孔が形成されている。
【００２４】
中心軸１１２には、インクＩＫを挿入するためのインク挿入口１１２ａが形成されている。インクＩＫは、版胴１１１の円筒状外周面１１１ａから滲み出る。
エンコーダ１１３は、版胴モータ１１４に取り付けられている。
【００２５】
版胴モータ１１４は、中心軸１１２を中心に図１における反時計回りに版胴１１１を回転させる。
クランプ板１１５は、版胴１１１の円筒状外周面１１１ａに設けられ、製版部２０から送られた製版済みの孔版原紙Ｍの先端側をクランプし、この孔版原紙Ｍを円筒状外周面３１ａに沿って巻回させる。
【００２６】
跳ね上げ板１１６は、版胴１１１の円筒状外周面１１１ａに設けられ、使用済みの孔版原紙Ｍの先端を円筒状外周面１１１ａから排版装置１に向けて跳ね上げる。
プレスローラ１１７は、版胴１１１の下方に設けられ、版胴１１１において巻回される孔版原紙Ｍに用紙Ｓを押し付ける。
【００２７】
剥離爪１１８は、版胴１１１の右下方に設けられ、印刷部１１０において印刷された用紙Ｓを孔版原紙Ｍ（版胴１１１）から剥離する。
カム駆動部１０６は、クランプ板１１５のクランプの開閉及び跳ね上げ板１１６の跳ね上げを行うための図示しないカムを駆動する。
【００２８】
排紙部１０７は、印刷部１１０から搬送される印刷済みの用紙Ｓを装置筐体１０１から排出する。
制御部１０８は、例えば、孔版印刷装置１００全体の動作を制御する演算処理装置として機能するＣＰＵ（Central Processing Unit）と、ＲＯＭ（Read only memory）、ＲＡＭ（Random Access Memory）等の記憶部を有する。
【００２９】
図２Ａ及び図２Ｂは、排版装置１を示す断面図である。
図３は、排版装置１を示す斜視図である。
図４は、補助圧縮部３０を示す斜視図である。
【００３０】
図２Ａ、図２Ｂ、及び図３に示す排版装置１は、上述の孔版印刷装置１００の使用済みの孔版原紙Ｍを回収するための排版装置であって、収容部１０と、第１の圧縮部の一例である圧縮部２０と、第２の圧縮部の一例である補助圧縮部３０と、排版ローラ対４０，５０と、を備える。
【００３１】
収容部１０は、使用済みの孔版原紙Ｍを収容する。収容部１０は、着脱自在に排版装置１に配置されている。収容部１０の底板１１は、搬入口となる排版ローラ対４０，５０側において、後述する圧縮部２０の圧縮板２１の回動軌道に沿うように湾曲している。収容部１０が収容可能な孔版原紙Ｍの版数は、収容部１０の大きさ等の装置構成によって決定されるが、一例としては１００版程度である。なお、図１に示す制御部１０８は、例えば孔版印刷装置１００に設けられたカウンタや後述する圧縮部２０の圧縮時の負荷を検知する機構から取得する情報によって、収容部１０が満杯であると判定すると、収容部１０が満杯であることをユーザに報知する。この報知に基づき、ユーザは、収容部１０を孔版印刷装置１００から取り外し、使用済みの孔版原紙Ｍを廃棄する。
【００３２】
圧縮部２０は、圧縮板２１と、回動軸２２と、を有する。
図３に示すように、圧縮板２１のうち根元側である回動軸２２側とは反対の先端側には、複数の爪２１ａが孔版原紙Ｍの幅方向に互いに間隔を隔てて設けられている。また、圧縮板２１には、後述する補助圧縮部３０の爪３１ｂが挿入される溝２１ｂが設けられている。この溝２１ｂは、図３に示すように圧縮板２１の先端側（爪２１ａ側）から切り欠かれるように設けられたものであるが、圧縮板２１に囲まれた孔であってもよい。
【００３３】
回動軸２２は、図示しないモータに接続され、圧縮板２１を回動させる。これにより、圧縮部２０は、収容部１０に収容された孔版原紙Ｍを圧縮板２１によって圧縮する圧縮位置Ｐ１１（後述する図５Ｅ及び図５Ｆ参照）と、この圧縮位置Ｐ１１から退避した退避位置Ｐ１２（図２Ａ及び図２Ｂ参照）とに移動する。圧縮板２１によって圧縮された孔版原紙Ｍは、収容部１０における奥（図における左方）に押し込まれ、排版ローラ対４０，５０から遠ざかる。これにより、孔版原紙Ｍの収容スペースが減容される。
【００３４】
補助圧縮部３０は、例えば２つの補助圧縮板３１と、回動軸３２と、を有する。
図４に示すように、補助圧縮板３１は、例えば回動軸３２と一体に設けられているが、別体であってもよい。補助圧縮板３１のうち根元側である回動軸３２側には、平面部３１ａが設けられ、先端側には、平面部３１ａから屈曲するように爪３１ｂが設けられている。なお、補助圧縮板３１は、孔版原紙Ｍの幅方向の両端近傍を押圧するために、孔版原紙Ｍの幅方向の両端近傍に計２つ設けられているが、補助圧縮板３１の数は１つでも３つ以上でもよい。
【００３５】
回動軸３２は、図示しないモータに接続され、圧縮板３１を回動させる。なお、補助圧縮部３０の回動軸３２は、圧縮部２０の回動軸２２と例えば平行となるように配置されている。
【００３６】
補助圧縮部３０は、収容部１０に収容された孔版原紙Ｍを補助圧縮板３１によって圧縮する圧縮位置Ｐ２１（図２Ｂ参照）と、この圧縮位置Ｐ２１から退避した退避位置Ｐ２２（図２Ａ参照）とに移動する。
【００３７】
図３に示すように、補助圧縮部３０が圧縮位置Ｐ２１にあるとき、補助圧縮部３０の少なくとも一部の一例である爪３１ｂは、圧縮板２１の溝２１ｂを貫通した状態で孔版原紙Ｍを圧縮する。なお、補助圧縮板３１が孔版原紙Ｍを圧縮するのは、圧縮部２０が退避位置Ｐ１２にあるときである。これは、詳しくは後述するが、使用済みの新たな孔版原紙Ｍが排版ローラ対４０，５０によって収容部１０内に搬送される際などには、圧縮部２０が退避位置Ｐ１２に退避する必要があり、このときに圧縮されない収容部１０内の孔版原紙Ｍを補助圧縮部３０によって補助的に圧縮するためである。
【００３８】
排版ローラ対４０，５０は、図１に示す上述の跳ね上げ板１１６によって印刷部１１０から排出される孔版原紙Ｍを収容部１０内に搬送する。
図５Ａ〜図５Ｆは、排版装置１の動作を説明するための断面図である。
【００３９】
図５Ａに示すように、収容部１０には、孔版原紙Ｍ１（Ｍ）が収容されている。図５Ａに示す状態では、圧縮部２０は退避位置Ｐ１２に位置し、補助圧縮部３０は圧縮位置Ｐ２１に位置する。
【００４０】
図５Ｂに示すように排版ローラ対４０，５０によって新たに使用済みの孔版原紙Ｍ２（Ｍ）が収容部１０内に搬送されると、図５Ｃに矢印で示すように、圧縮部２０は圧縮位置Ｐ１１への移動を開始し、補助圧縮部３０は退避位置Ｐ２２への移動を開始する。
【００４１】
なお、補助圧縮部３０は、孔版原紙Ｍ１と孔版原紙Ｍ２との間に挟まれるのを回避するため、図５Ｄに示すように、退避位置Ｐ１２にある圧縮部２０が圧縮位置Ｐ１１へ到達する前に、圧縮位置Ｐ２１から退避位置Ｐ２２へ退避する。補助圧縮部３０は、圧縮部２０が圧縮位置Ｐ１１へ到達する前に、図５Ｅに示す退避位置Ｐ２２に到達する必要はなく、図５Ｄに示すように退避位置Ｐ２２へ退避する過程の位置にあれば孔版原紙Ｍ２との干渉を回避することができる。
【００４２】
図５Ｅに示すように、圧縮部２０が圧縮位置Ｐ１１に到達することで、圧縮部２０の圧縮板２１は、孔版原紙Ｍ１及び孔版原紙Ｍ２を圧縮する。
その後、圧縮部２０が圧縮位置Ｐ１１から退避位置Ｐ１２へ移動する場合、圧縮部２０が移動を開始するのよりも前に、補助圧縮部３０が圧縮位置Ｐ２１への移動を開始する（図５Ｅの矢印参照）。そして、図５Ｆに示すように補助圧縮部３０が圧縮位置Ｐ２１に到達した後、圧縮部２０は退避位置Ｐ１２への移動を開始する（図５Ｆの矢印参照）。
【００４３】
図６Ａ〜図６Ｃは、他の実施の形態に係る排版装置２の動作を説明するための断面図である。
なお、本実施の形態では、圧縮板２１に押圧部２１ｃが設けられ、補助圧縮部３０が押圧部２１ｃによって押圧されることにより移動する構成、及びこの構成に関連するトーションバネ３３等の構成を除いて、上述の構成を採用することができるため、排版装置１を排版装置２と記すのみで、上述の説明と同一の構成は同一の符号を図面に付して説明を省略する。
【００４４】
圧縮板２１は、補助圧縮部３０の平面部３１ａを押圧する押圧部２１ｃを有する。この押圧部２１ｃは、例えば、圧縮板２１のうち回動軸２２を挟んで爪２１ａとは反対側に突出するように設けられている。
【００４５】
補助圧縮部３０は、孔版原紙Ｍに接触する接触部の一例である補助圧縮板３１を圧縮位置Ｐ２１へ付勢するトーションバネ３３を有する。このトーションバネ３３は、付勢機構の一例であり、回動軸３２に巻き付けられている。なお、本実施の形態では、回動軸３２は、補助圧縮板３１とは別体に設けられており、回動しない。
【００４６】
トーションバネ３３の一端は、回動軸３２から突出するように設けられたバネ支持部３２ａにおいて固定されている。また、トーションバネ３３の他端は、補助圧縮板３１に設けられたバネ受け部３１ｃを押圧する。これにより、補助圧縮板３１は、図６Ａにおける時計回り、すなわち、圧縮位置Ｐ２１へ向かう方向に付勢されている。このように補助圧縮板３１を付勢するための構成は、トーションバネ３３を用いた構成に限定されず、補助圧縮板３１を押圧する弾性体（圧縮バネ等）を排版装置２内のいずれかの位置に設けた構成などの他の構成を採用してもよい。
【００４７】
補助圧縮板３１は、圧縮部２０が退避位置Ｐ１２から圧縮位置Ｐ１１へ移動する際に、平面部３１ａにおいて押圧部２１ｃにより押圧されることによって、トーションバネ３３の付勢力に抗して、孔版原紙Ｍを圧縮する方向とは反対方向（図６Ａにおける反時計回り）へ移動する。
【００４８】
図６Ｂに示すように排版ローラ対４０，５０によって新たに使用済みの孔版原紙Ｍ２が収容部１０内に搬送されると、図６Ｂに矢印で示すように、圧縮部２０は圧縮位置Ｐ１１への移動を開始する。
【００４９】
この圧縮部２０の移動時に押圧部２１ｃが補助圧縮部３０の平面部３１ａを押圧することによって、図６Ｃに示すように、補助圧縮部３０は、トーションバネ３３の付勢力に抗して圧縮位置Ｐ２１から退避位置Ｐ２２へ移動する。なお、補助圧縮部３０は、退避位置Ｐ２２への移動時に孔版原紙Ｍ２を排版ローラ対４０，５０側に押し込んで逆流させないように配置されている。
【００５０】
以上説明した一実施の形態及び他の実施の形態では、排版装置１，２は、孔版印刷装置１００の使用済みの孔版原紙Ｍを回収するための排版装置１，２であって、孔版原紙Ｍ（Ｍ１，Ｍ２）を収容する収容部１０と、この収容部１０に収容された孔版原紙Ｍを圧縮する圧縮位置Ｐ１１と当該圧縮位置Ｐ１１から退避した退避位置Ｐ１２とに移動する圧縮部（第１の圧縮部の一例）２０と、この圧縮部２０が退避位置Ｐ１２にあるときに収容部１０に収容された孔版原紙Ｍを圧縮する補助圧縮部（第２の圧縮部の一例）３０と、を備える。
【００５１】
これにより、圧縮部２０が孔版原紙Ｍを圧縮しない退避位置Ｐ１２にあるときに、圧縮されずに広がる孔版原紙Ｍを補助圧縮部３０によって圧縮することができるため、収容部１０における孔版原紙Ｍの収容スペースを確保することができる。更には、収容部１０に新たに搬送される使用済みの孔版原紙Ｍや収容部１０内の孔版原紙Ｍが排版ローラ対４０，５０に巻き付くのを防ぐことができる。
【００５２】
また、一実施の形態及び他の実施の形態では、補助圧縮部３０は、退避位置Ｐ１２にある圧縮部２０が圧縮位置Ｐ１１へ到達する前に、孔版原紙Ｍを圧縮する圧縮位置Ｍ２１から退避位置Ｐ２２へ退避する。このように、退避位置Ｐ１２にある圧縮部２０が圧縮位置Ｐ１１へ到達する前に、補助圧縮部３０が圧縮位置Ｐ２１から退避位置Ｐ２２へ退避するため、収容部１０に新たに搬送される使用済みの孔版原紙Ｍを圧縮部２０が圧縮する際に、補助圧縮部３０が収容部１０内で孔版原紙Ｍに挟まれるのを防止することができる。
【００５３】
また、一実施の形態及び他の実施の形態では、圧縮部２０には、溝２１ｂが設けられ、補助圧縮部３０は、少なくとも一部が溝２１ｂを貫通した状態で孔版原紙Ｍを圧縮する。このように、補助圧縮部３０の少なくとも一部が圧縮部２０の溝２１ｂを貫通した状態で孔版原紙Ｍを圧縮することで、圧縮部２０及び補助圧縮部３０の可動スペースが大型化するのを抑えることができ、ひいては排版装置１が大型化するのを抑えることができる。
【００５４】
また、他の実施の形態では、圧縮部２０は、補助圧縮部３０を押圧する押圧部２１ｃを有し、補助圧縮部３０は、孔版原紙Ｍに接触する補助圧縮板（接触部の一例）３１と、この補助圧縮板３１を、孔版原紙Ｍを圧縮する方向（圧縮位置Ｐ２１へ向かう方向）に付勢するトーションバネ（付勢機構の一例）３３とを有し、補助圧縮板３１は、圧縮部２０が退避位置Ｐ１２から圧縮位置Ｐ１１へ移動する際に押圧部２１ｃにより押圧されることによって孔版原紙Ｍを圧縮する方向とは反対方向（退避位置Ｐ２２へ向かう方向）へ移動する。これにより、補助圧縮部３０を圧縮部２０の移動に連動させて移動させることができるため、補助圧縮部３０を駆動するモータ等の駆動部を省略し構造を簡略化することができる。
【００５５】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。
【符号の説明】
【００５６】
１，２      排版装置
１０      収容部
１１      底板
２０      圧縮部
２１      圧縮板
２１ａ      爪
２１ｂ      溝
２１ｃ      押圧部
２２      回動軸
３０      補助圧縮部
３１      補助圧縮板
３１ａ      平面部
３１ｂ      爪
３１ｃ      バネ受け部
３２      回動軸
３２ａ      バネ支持部
３３      トーションバネ
４０，５０      排版ローラ
１００      孔版印刷装置
１０１      装置筐体
１０１ａ      天面
１０１ｂ      左側面
１０１ｃ      右側面
１０２      操作パネル部
１０３      原稿読取部
１０４      製版部
１０５      給紙部
１０６      カム駆動部
１０７      排紙部
１０８      制御部
１１０      印刷部
１１１      版胴
１１１ａ      円筒状外周面
１１２      中心軸
１１２ａ      インク挿入口
１１３      エンコーダ
１１４      版胴モータ
１１５      クランプ板
１１６      跳ね上げ板
１１７      プレスローラ
１１８      剥離爪
Ｍ      孔版原紙（マスタ）
Ｓ      用紙
【図１】
2018118494.tif 000003
【図２Ａ】
2018118494.tif 000004
【図２Ｂ】
2018118494.tif 000005
【図３】
2018118494.tif 000006
【図４】
2018118494.tif 000007
【図５Ａ】
2018118494.tif 000008
【図５Ｂ】
2018118494.tif 000009
【図５Ｃ】
2018118494.tif 000010
【図５Ｄ】
2018118494.tif 000011
【図５Ｅ】
2018118494.tif 000012
【図５Ｆ】
2018118494.tif 000013
【図６Ａ】
2018118494.tif 000014
【図６Ｂ】
2018118494.tif 000015
【図６Ｃ】
2018118494.tif 000016
【図７Ａ】
2018118494.tif 000017
【図７Ｂ】
2018118494.tif 000018
【図７Ｃ】
2018118494.tif 000019
【図８Ａ】
2018118494.tif 000020
【図８Ｂ】
2018118494.tif 000021
【図９Ａ】
2018118494.tif 000022
【図９Ｂ】
2018118494.tif 000023